(57)【要約】【課題】周囲の状況を複数の表示部に適切に切り替えて表示できること。【解決手段】筐体１１、１２と、筐体に設けられて、情報を表示する複数の表示部１３、１４と、周囲の状況を取得する周囲状況検出部１５と、緊急度を判定する緊急度判定部１６と、緊急度判定部１６によって判定した緊急度に応じて、複数の表示部１３、１４のいずれかに、報知情報を表示するように制御する制御部１７とを備える。【選択図】図１
2014175688.tif 000002
【特許請求の範囲】
【請求項１】
筐体と、
前記筐体に設けられて、情報を表示する複数の表示部と、
周囲の状況を取得する周囲状況検出部と、
緊急度を判定する緊急度判定部と、
前記緊急度判定部によって判定した緊急度に応じて、複数の前記表示部のいずれかに、報知情報を表示するように制御する制御部と
を備える携帯端末。
【請求項２】
前記制御部は、前記筐体の状態として、閉状態にあり、１つの前記表示部に表示内容を表示している状態において、緊急度が高い場合、前記表示部に前記報知情報を表示する
請求項１に記載の携帯端末。
【請求項３】
前記制御部は、前記筐体の状態として、閉状態にあり、１つの前記表示部に表示内容を表示している状態において、緊急度が低い場合、前記表示部とは異なる表示部に前記報知情報を表示する
請求項１に記載の携帯端末。
【請求項４】
前記制御部は、前記筐体の状態として、閉状態にあり、１つの前記表示部に表示内容を表示している状態において、緊急度が低い場合に、前記筐体が開かれたときに、前記表示部とは異なる表示部に報知情報を表示する
請求項１に記載の携帯端末。
【請求項５】
前記制御部は、前記筐体の状態として、閉状態にあり、１つの前記表示部に表示内容を表示している状態において、緊急度が低い場合に、前記表示部に緊急である旨を示す識別情報を表示する
請求項１に記載の携帯端末。
【請求項６】
周囲の状況を取得する周囲状況検出段階と、
前記周囲状況検出段階によって取得した周囲の状況に応じて、緊急度を判定する緊急度判定段階と、
前記緊急度判定段階によって判定した緊急度に応じて、情報を表示する複数の表示部のいずれかに、報知情報を表示するように制御する制御段階と
を備える表示制御方法。
【請求項７】
コンピュータを、
周囲の状況を取得する周囲状況検出部、
緊急度を判定する緊急度判定部、
前記緊急度判定部によって判定した緊急度に応じて、情報を表示する複数の表示部のいずれかに、報知情報を表示するように制御する制御部
として機能させるプログラム。
【請求項８】
筐体と、
前記筐体に設けられて、情報を表示する複数の表示部と、
周囲の状況を取得する周囲状況検出部と、
緊急度を判定する緊急度判定部と、
前記緊急度判定部によって判定した緊急度に応じてアプリケーションプログラムを実行するプログラム実行部と、
前記プログラム実行部によって実行された前記アプリケーションプログラムを、複数の前記表示部のいずれかに表示するように制御する制御部と
を備える携帯端末。
【請求項９】
前記制御部は、前記筐体の状態として、閉状態にあり、１つの前記表示部に表示内容を表示している状態において、前記アプリケーションプログラムがユーザを案内することを目的とした場合、前記表示部に報知情報を表示する
請求項８に記載の携帯端末。
【請求項１０】
前記制御部は、前記筐体の状態として、閉状態にあり、１つの前記表示部に表示内容を表示している状態において、前記アプリケーションプログラムがユーザを案内することを目的としない場合、前記表示部とは異なる表示部に報知情報を表示する
請求項８に記載の携帯端末。
【請求項１１】
前記制御部は、前記筐体の状態として、閉状態にあり、１つの前記表示部に表示内容を表示している状態において、前記アプリケーションプログラムがユーザを案内することを目的としない場合、前記筐体が開かれたときに、前記表示部とは異なる表示部に報知情報を表示する
請求項８に記載の携帯端末。
【請求項１２】
前記制御部は、前記筐体の状態として、閉状態にあり、１つの前記表示部に表示内容を表示している状態において、前記アプリケーションプログラムがユーザを案内することを目的としない場合に、前記表示部に緊急である旨を示す識別情報を表示する
請求項８に記載の携帯端末。
【請求項１３】
周囲の状況を取得する周囲状況検出段階と、
緊急度を判定する緊急度判定段階と、
前記緊急度判定段階によって判定した緊急度に応じてアプリケーションプログラムを実行するプログラム実行段階と、
前記プログラム実行段階によって実行された前記アプリケーションプログラムを、情報を表示する複数の表示部のいずれかに表示するように制御する制御段階と
を備える表示制御方法。
【請求項１４】
コンピュータを、
周囲の状況を取得する周囲状況検出部、
緊急度を判定する緊急度判定部、
前記緊急度判定部によって判定した緊急度に応じてアプリケーションプログラムを実行するプログラム実行部、
前記プログラム実行部によって実行された前記アプリケーションプログラムを、情報を表示する複数の表示部のいずれかに表示するように制御する制御部
として機能させるプログラム。
【発明の詳細な説明】
【技術分野】
【０００１】
本発明は、携帯端末、表示制御方法及びプログラムに関する。
【背景技術】
【０００２】
携帯電話端末装置の普及に伴い、道路又は歩行者通路においては、携帯電話端末装置を操作しながら歩行する状況が見られる。
【０００３】
このような背景に関連する技術としては、様々なものが知られている（例えば、特許文献１参照。）。
【０００４】
例えば、特許文献１には、衝突危険を判定して報知する衝突危険判定報知方法が記載されている。より具体的に説明すると、この衝突危険判定報知方法は、前方の全体画像を撮影して全体画像データを生成する。そして、この衝突危険判定報知方法は、全体画像データの物体画像データの輪郭を抽出して物体輪郭データを生成する。そして、この衝突危険判定報知方法は、物体輪郭データの特徴量を検出する。そして、この衝突危険判定報知方法は、物体輪郭データの特徴量に基づいて障害物を認識すると共に物体輪郭データの動きを予測して衝突の危険を判定して衝突危険度を生成する。そして、この衝突危険判定報知方法は、衝突危険度がしきい値以上である時に衝突の危険を報知する。このように、この携帯端末によっては、物体輪郭データの特徴量を検出し物体輪郭データの特徴量に応じて障害物を認識すると共に物体輪郭データの動きを予測して衝突の危険を判定して衝突危険度を生成する。これにより、この携帯端末によっては、衝突するおそれのある障害物を精度良く早期に検知することができる。
【０００５】
また、カメラや表示装置では、通常の行動をとりながら撮影を行ったり観察したりすることが可能であるために、ファインダ表示に気を取られて前方物体と衝突する等の事態が発生する可能性がある。
【０００６】
このような背景に関連する技術としては、様々なものが知られている（例えば、特許文献２参照。）。
【０００７】
例えば、特許文献２には、外界像に重ねて所定の情報を観察可能に表示し得る危険防止機能付き頭部装着型表示装置が記載されている。より具体的に説明すると、外界像に重ねて所定の情報を観察可能に表示するためのシースルー画像表示部と、被写体までの距離を測定するＡＦ処理回路とを備える。さらに、この携帯端末は、ＡＦ処理回路に所定時間間隔で測距を行わせてその測距情報に基づき観察者と前方物体との相対的な距離や速度を演算し、演算結果によって前方物体と衝突する可能性があるか否かの判断を行う。そして、この携帯端末は、前方物体と衝突する可能性がある炉判断した場合、シースルー画像表示部に情報の表示を中止させるかまたはその旨の警告を行わせる制御／記録部を備える。このように、この携帯端末によっては、外界像に重ねて所定の情報を観察する際の安全を図り得ることができる。
【０００８】
また、携帯電子機器を用いて撮像をする場合、ユーザは、撮影に集中してしまうことがある。
【０００９】
このような背景に関連する技術としては、様々なものが知られている（例えば、特許文献３参照。）。
【００１０】
例えば、特許文献３には、携帯電子機器が記載されている。より具体的に説明すると、位置取得部は、自身の現在位置の情報である現在位置データを取得する。記憶部は、安全な場所と安全でない場所とを判別可能な地図データを記憶する。安全性判定部は、地図データに応じて、現在位置データが示す現在位置が安全な場所内であるか否かを判定する。報知部は、現在位置が安全な場所内でないと判定された場合に報知を行う。このように、この携帯端末によっては、ユーザの注意を喚起することができる。
【００１１】
また、近年は、メールやインターネット等の各種アプリケーション機能を備えた携帯電話等の携帯用端末装置の普及により、歩行中や自転車乗車中に携帯用端末装置のメールやインターネット等のアプリケーション機能を利用する人が増加しつつある。
【００１２】
このような背景に関連する技術としては、様々なものが知られている（例えば、特許文献４参照。）。
【００１３】
例えば、特許文献４には、携帯端末装置の操作者と障害物との衝突を防止する衝突防止方法が記載されている。より具体的に説明すると、障害物検知手段は、携帯端末装置の周囲に存在する障害物を検知する。障害物報知手段は、障害物検知手段によって障害物が検知されたときに、障害物の存在をユーザに対して報知する。このように、この携帯端末によっては、ユーザに対して障害物の存在を確実に報知し、障害物との衝突の可能性を大幅に低減させることができる。
【先行技術文献】
【特許文献】
【００１４】
【特許文献１】特開２００５−２０９０２８号公報
【特許文献２】特開２００５−２５２７３５号公報
【特許文献３】特開２０１１−０９５０６７号公報
【特許文献４】特開２００６−１７４２８８号公報
【発明の概要】
【発明が解決しようとする課題】
【００１５】
特許文献１〜４に記載の技術は、いずれも周囲の状況を複数の表示部に適切に切り替えて表示することができない。
【００１６】
本発明の目的は、上述した課題を解決する携帯端末、表示制御方法及びプログラムを提供することにある。
【課題を解決するための手段】
【００１７】
上記課題を解決するために、本発明の第１の形態によると、携帯端末であって、筐体と、筐体に設けられて、情報を表示する複数の表示部と、周囲の状況を取得する周囲状況検出部と、緊急度を判定する緊急度判定部と、緊急度判定部によって判定した緊急度に応じて、複数の表示部のいずれかに、報知情報を表示するように制御する制御部とを備える。
【００１８】
本発明の第２の形態によると、表示制御方法であって、周囲の状況を取得する周囲状況検出段階と、周囲状況検出段階によって取得した周囲の状況に応じて、緊急度を判定する緊急度判定段階と、緊急度判定段階によって判定した緊急度に応じて、情報を表示する複数の表示部のいずれかに、報知情報を表示するように制御する制御段階とを備える。
【００１９】
本発明の第３の形態によると、プログラムであって、コンピュータを、周囲の状況を取得する周囲状況検出部、緊急度を判定する緊急度判定部、緊急度判定部によって判定した緊急度に応じて、情報を表示する複数の表示部のいずれかに、報知情報を表示するように制御する制御部として機能させる。
【００２０】
本発明の第４の形態によると、携帯端末であって、筐体と、筐体に設けられて、情報を表示する複数の表示部と、周囲の状況を取得する周囲状況検出部と、緊急度を判定する緊急度判定部と、緊急度判定部によって判定した緊急度に応じてアプリケーションプログラムを実行するプログラム実行部と、プログラム実行部によって実行されたアプリケーションプログラムを、複数の表示部のいずれかに表示するように制御する制御部とを備える。
【００２１】
本発明の第５の形態によると、周囲の状況を取得する周囲状況検出段階と、緊急度を判定する緊急度判定段階と、緊急度判定段階によって判定した緊急度に応じてアプリケーションプログラムを実行するプログラム実行段階と、プログラム実行段階によって実行されたアプリケーションプログラムを、情報を表示する複数の表示部のいずれかに表示するように制御する制御段階とを備える。
【００２２】
本発明の第６の形態によると、コンピュータを、周囲の状況を取得する周囲状況検出部、緊急度を判定する緊急度判定部、緊急度判定部によって判定した緊急度に応じてアプリケーションプログラムを実行するプログラム実行部、プログラム実行部によって実行されたアプリケーションプログラムを、情報を表示する複数の表示部のいずれかに表示するように制御する制御部として機能させる。
【００２３】
なお、上記の発明の概要は、本発明の必要な特徴の全てを列挙したものではない。また、これらの特徴群のサブコンビネーションもまた、発明となり得る。
【発明の効果】
【００２４】
以上の説明から明らかなように、この発明によっては、周囲の状況を複数の表示部に適切に切り替えて表示することができる。
【図面の簡単な説明】
【００２５】
【図１】第１の実施形態の携帯端末１０のブロック構成の一例を示す図である。
【図２】携帯端末１０の平面図である。
【図３】携帯端末１０の底面図である。
【図４】携帯端末１０における使用状態の外観斜視図である。
【図５】携帯端末１０の制御動作を説明するフローチャートである。
【図６】携帯端末１０の制御動作を説明するフローチャートである。
【図７】携帯端末１０におけるモニタ画像の表示例の模式図である。
【図８】第２の実施形態の携帯端末３０の具体的ブロック構成図である。
【図９】携帯端末３０におけるモニタ画像の第１表示例の模式図である。
【図１０】携帯端末３０におけるモニタ画像の第２表示例の模式図である。
【図１１】携帯端末１０の最小構成の一例を示す図である。
【発明を実施するための形態】
【００２６】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２７】
図１は、第１の実施形態の携帯端末１０のブロック構成の一例を示す。携帯端末１０は、第１筐体１１、第２筐体１２、第１表示部１３、第２表示部１４、周囲状況検出部１５、緊急度判定部１６及び制御部１７を備える。
【００２８】
第１筐体１１は、第１表示部１３を備え、第２筐体１２は、第１筐体１１に対して開閉可能であって、第２表示部１４を備える。第１表示部１３、第２表示部１４は、第１筐体１１及び第２筐体１２の閉状態において外側になる面に備えられている。
【００２９】
周囲状況検出部１５は、例えば、第１筐体１１の短辺側の側面部に取り付けられている。周囲状況検出部１５は、例えば、ビームセンサであって、携帯端末１０の周囲に信号光を出射することにより、携帯端末１０の進行方向にある障害物に衝突して反射した反射光を受光する。ここで、障害物としては、例えば、携帯端末１０に接近してくる自動車や、進行方向にある柱等である。なお、周囲状況検出部１５としては、ビームセンサに代えて、ＧＰＳ装置を用いて周囲の障害物を検出したり、撮像装置を用いて障害物を観察したりしてもよい。
【００３０】
緊急度判定部１６は、周囲状況検出部１５によって検出した障害物の緊急度を判定して、緊急度の高い高緊急度信号または緊急度の低い低緊急度信号を制御部１７に与える。
【００３１】
制御部１７は、緊急度判定部１６によって判定した緊急度に応じて、二つの表示部１３、１４のいずれか一方に報知情報を表示するように制御する。より具体的に、制御部１７は、二つの筐体１１、１２の状態として閉状態にあり、二つの表示部１３、１４のうちの１つの第１表示部１３に表示内容を表示している状態において緊急度が高い場合、第１表示部１３に詳細な報知情報を表示する。制御部１７は、二つの筐体１１、１２の状態として閉状態にあり、二つの表示部１３、１４のうちの１つの第１表示部１３に表示内容を表示している状態において緊急度が低い場合、第１表示部１３とは異なる第２表示部１４に簡易な報知情報を表示する。制御部１７は、二つの筐体１１、１２の状態として閉状態にあり、二つの表示部１３、１４のうちの１つの第１表示部１３に表示内容を表示している状態において緊急度が低い場合に、二つの筐体１１、１２が開かれたときに第１表示部１３とは異なる第２表示部１４に簡易な報知情報を表示する。制御部１７は、二つの筐体１１、１２の状態として閉状態にあり、二つの表示部１３、１４のうちの１つの第１表示部１３に表示内容を表示している状態において緊急度が低い場合に、第１表示部１３に緊急である旨を示す識別情報を表示する。加えて、制御部１７は、不図示の加速度センサ等から得られる加速度情報に基づき、携帯端末１０の第１筐体１１と第２筐体１２とが表裏を裏返す動作をしたことを検出する。
【００３２】
図２は、携帯端末１０の平面図である。図３は、携帯端末１０の底面図である。図４は、携帯端末１０における一使用状態の外観斜視図である。図２、図３に示すように、携帯端末１０は、第１筐体１１の長辺の内側面と第２筐体１２の長辺の内側面との間にヒンジ部材２０を取り付けている。そのため、第１筐体１１と第２筐体１２とは、それぞれの長手方向を軸として回動可能である。ヒンジ部材２０は、角度センサ２１を内蔵している。角度センサ２１は、第１筐体１１と第２筐体１２とが開いているか、或いは、閉じているかを検出して、電気信号を制御部１７に与える。なお、二つの筐体１１、１２の角度の検出には、角度センサ２１に代えて、例えば、二つの筐体１１、１２に設置された距離センサを用いてもよい。また、二つの筐体１１、１２の角度の検出には、複数の突起部と凹部を設けてもよく、任意の検出方法を適用することができる。
【００３３】
第１筐体１１は、第１表示部１３の近傍に、カメラ２２を取り付けている。第１筐体１１は、カメラ２２の側部にマイク２３を取り付けている。第１筐体１１は、長辺側の外側面における、例えば、中央部に第１磁力センサ２４を取り付けており、第２筐体１２は、第１磁力センサ２４に対向する長辺側の外側面における中央部に第２磁力センサ２５を取り付けている。二つの磁力センサ２４、２５は、二つの筐体１１、１２の開閉を検出する。二つの磁力センサ２４、２５は、所定の磁力を検出したら、二つの筐体１１、１２の閉状態を判定して制御部１７に電気信号を与える。これに反して、二つの磁力センサ２４、２５は、所定の磁力を検出しない場合、二つの筐体１１、１２の開状態を判定して制御部１７に電気信号を与える。なお、これら二つの磁力センサ２４、２５は、必ずしも必要ではなく、角度センサ２１の補助的な役目を有する。
【００３４】
図４に示すように、携帯端末１０は、例えば、第１筐体１１に対して第２筐体１２を折り畳んで使用される。この場合、角度センサ２１は、二つの筐体１１、１２の閉状態を検出して制御部１７に閉状態の電気信号を与える。
【００３５】
図５は、携帯端末１０の制御動作を説明するフローチャートである。図６は、携帯端末１０の制御動作を説明するフローチャートである。図７は、携帯端末１０におけるモニタ画像の表示例の模式図である。
【００３６】
以下の説明においては、筐体１１、１２を閉じて第１表示部１３に表示しているアプリケーションプログラムをユーザが見ながら歩いているときに、携帯端末１０の前方に低い緊急度の障害物が出現した場面について説明する。
【００３７】
図７に示すように、Ａ０状態において、制御部１７は、第１表示部１３にアプリケーションプログラムを表示している。
【００３８】
まず、制御部１７は、周囲の状況を取得する（Ｓ１０１）。そして、緊急度判定部１６が周囲状況検出部１５の検出した障害物の緊急度の判定結果が低いと判定すると（Ｓ１０２：Ｎｏ）制御部１７は、進行方向に低い緊急度の障害物がある旨の簡易な報知情報を第１表示部１３に表示する（Ｓ１０３）。例えば、図７に示すように、Ａ１状態において、制御部１７は、第１表示部１３のアプリケーションプログラム上に、簡易な報知情報としての緊急アイコンＥ１を表示する。また、制御部１７は、簡易な報知情報としての鳴動Ｒ１を行う。
【００３９】
このとき、この例の場合、角度センサ２１が閉状態を検出しているために（Ｓ１０４：Ｎｏ）、携帯端末１０は、表裏を裏返されない見ない限り、ステップＳ１０５、ステップＳ１０４を繰り返し行う。
【００４０】
これに反して、携帯端末１０の表裏を裏返された場合、制御部１７は、携帯端末１０の表裏を裏返した動作を検出する（Ｓ１０５：Ｙｅｓ）。そして、制御部１７は、簡易な報知情報よりも詳しい詳細な報知情報を第２表示部１４に表示する（Ｓ１０７）。これにより、ユーザは、第２表示部１４において詳細な報知情報を確認することになる。
【００４１】
次に、制御部１７が進行方向に低い緊急度の障害物がある旨の簡易な報知情報を第１表示部１３に表示しているときについて説明する。このとき、携帯端末１０は、ユーザによって、二つの筐体１１、１２が開かれる。すると、角度センサ２１は、開状態を検出する。そして、制御部１７は、携帯端末１０の二つの筐体１１、１２が開かれた動作を認識する（Ｓ１０４：Ｙｅｓ）。そして、制御部１７は、簡易な報知情報よりも詳しい詳細な報知情報を第２表示部１４に表示する（Ｓ１０７）。例えば、図７に示すように、Ａ２状態において、制御部１７は、第１表示部１３にアプリケーションプログラムを表示している際に、第２表示部１４に詳細な報知情報として周囲の映像や緊急である旨の字や緊急度の表示等の画像Ｓ１を表示する。なお、周囲の映像は、カメラ２２とは別所に設けた不図示のカメラによって撮像される。
【００４２】
これにより、ユーザは、第２表示部１４において詳細な報知情報を確認することになる。
【００４３】
次に、ユーザが、二つの筐体１１、１２を閉じて、第１表示部１３に表示しているアプリケーションプログラムを見ながらの徒歩中に高い緊急度の障害物が出現した場面について説明する。
【００４４】
図７に示すように、Ａ０状態において、制御部１７は、第１表示部１３にアプリケーションプログラムを表示している。
【００４５】
まず、制御部１７は、周囲の状況を取得する（Ｓ１０１）。そして、緊急度判定部１６は、周囲状況検出部１５の検出した障害物の緊急度の判定結果が高いと判定する（Ｓ１０２：Ｙｅｓ）。そして、制御部１７は、進行方向に高い緊急度の障害物がある旨の詳細な報知情報を第１表示部１３に表示する（Ｓ１０８）。例えば、図７に示すように、Ａ３状態において、制御部１７は、第１表示部１３のアプリケーションプログラム上に、周囲の映像や緊急である旨の字や緊急度の表示等の画像Ｓ２を表示する。また、制御部１７は、詳細な報知情報としての鳴動Ｒ２を行う。
【００４６】
ユーザが携帯端末１０の二つの筐体１１、１２を開かない場合（Ｓ１０９：Ｎｏ）、ユーザが携帯端末１０の表裏を裏返さない限り、ステップＳ１０９、ステップＳ１１０を繰り返し行う。
【００４７】
ここで、ユーザが携帯端末１０の表裏を裏返した場合（Ｓ１１０：Ｙｅｓ）、制御部１７は、詳細な報知情報の表示前の報知情報を第２表示部１４に表示する（Ｓ１１１）。
【００４８】
また、制御部１７は、進行方向に高い緊急度の障害物がある旨の詳細な報知情報を第１表示部１３に表示している際に、ユーザが携帯端末１０の二つの筐体１１、１２を開いた場合、角度センサ２１が開状態を検出する。制御部１７は、携帯端末１０の二つの筐体１１、１２が開かれた動作を認識するために（Ｓ１０９：Ｙｅｓ）、詳細な報知情報の表示前の報知情報を第２表示部１４に表示する（Ｓ１１２）。例えば、図７に示すように、Ａ４状態において、制御部１７は、第１表示部１３に進行方向に高い緊急度の障害物がある旨の詳細な報知情報を表示し、第２表示部１４に、アプリケーションプログラムの表示を続ける。
【００４９】
これにより、ユーザは、第１表示部１３の詳細な報知情報を確認し、第２表示部１４のアプリケーションプログラムを見続けることになる。
【００５０】
以上説明したように、携帯端末１０によれば、制御部１７は、周囲の状況を二つの表示部１３、１４に適切に切り替えて表示することができる。
【００５１】
また、携帯端末１０によれば、制御部１７は、各筐体１１、１２閉状態で、第１表示部１３に表示内容を表示している状態において緊急度が高い場合、第１表示部１３に報知情報を表示することができる。
【００５２】
そして、携帯端末１０によれば、制御部１７は、各筐体１１、１２の閉状態で、第１表示部１３に表示内容を表示している状態において緊急度が低い場合、第１表示部１３とは異なる第２表示部１４に報知情報を表示することができる。
【００５３】
さらに、携帯端末１０によれば、制御部１７は、各筐体１１、１２閉状態で第１表示部１３に表示内容を表示している状態において緊急度が低い場合に、各筐体１１、１２が開かれたときに、第１表示部１３とは異なる第２表示部１４に報知情報を表示することができる。
【００５４】
加えて、携帯端末１０によれば、制御部１７は、各筐体１１、１２の閉状態で第１表示部１３に表示内容を表示している状態において緊急度が低い場合に、第１表示部に緊急である旨を示す識別情報を表示することができる。
【００５５】
表示制御方法によれば、周囲の状況を二つの表示部１３、１４に適切に切り替えて表示することができる。
【００５６】
プログラムによれば、周囲の状況を二つの表示部１３、１４に適切に切り替えて表示することができる。
【００５７】
次に、第２の実施形態について図８から図１０を参照しながら説明するが、第１の実施形態と同一の部位には同一の符号を付してその説明は省略し、異なる点についてのみ説明する。図８は、第２の実施形態の携帯端末３０の具体的ブロック構成図である。
【００５８】
図８に示すように、携帯端末３０は、第１の実施形態に加えて、プログラム実行部３１をさらに備える。
【００５９】
プログラム実行部３１は、緊急度判定部１６によって判定した緊急度に応じてアプリケーションプログラムを実行する。
【００６０】
制御部１７は、プログラム実行部３１によって実行されたアプリケーションプログラムを二つの表示部１３、１４のいずれかに表示するように制御する。
【００６１】
制御部１７は、各筐体１１、１２の閉状態で、第１表示部１３に表示内容を表示している際にアプリケーションプログラムがユーザを案内することを目的とした場合、第１表示部１３に報知情報を表示する。
【００６２】
制御部１７は、各筐体１１、１２の閉状態で、第１表示部１３に表示内容を表示している際にアプリケーションプログラムがユーザを案内することを目的としない場合、第２表示部１４に報知情報を表示する。
【００６３】
制御部１７は、各筐体１１、１２の閉状態で、第１表示部１３に表示内容を表示している際にアプリケーションプログラムがユーザを案内することを目的としない場合、各筐体１１、１２が開かれたときに第２表示部１４に報知情報を表示する。
【００６４】
制御部１７は、各筐体１１、１２閉状態で、第１表示部１３に表示内容を表示している際にアプリケーションプログラムがユーザを案内することを目的としない場合に、第１表示部１３に緊急である旨を示す識別情報を表示する。
【００６５】
次に、携帯端末３０における制御部１７の具体的な表示例について説明する。図９は、携帯端末３０におけるモニタ画像の第１表示例の模式図である。
【００６６】
まず、ユーザが、二つの筐体１１、１２を閉じて、第１表示部１３に表示しているナビゲーション等の閲覧系アプリケーションプログラムを見ながらの徒歩中に低い緊急度の障害物が出現した場面について説明する。
【００６７】
図９に示すように、Ｂ０状態において、制御部１７は、第１表示部１３にアプリケーションプログラムを表示している。
【００６８】
ここで、制御部１７は、周囲の状況を取得する。緊急度判定部１６は、周囲状況検出部１５の検出した障害物の緊急度の判定結果が低いと判定する。制御部１７は、進行方向に低い緊急度の障害物がある旨の簡易な報知情報を第１表示部１３に表示する。
【００６９】
Ｂ１状態において、制御部１７は、第１表示部１３のアプリケーションプログラム上に、簡易な報知情報としての緊急アイコンＥ１を表示する。また、制御部１７は、簡易な報知情報としての鳴動Ｒ１を行う。
【００７０】
次に、制御部１７が簡易な報知情報を第１表示部１３に表示している際に、ユーザが携帯端末１０の二つの筐体１１、１２を開いた場合について説明する。
【００７１】
Ｂ２状態において、制御部１７は、第１表示部１３にアプリケーションプログラムを表示している際に、第２表示部１４に詳細な報知情報として周囲の映像や緊急である旨の字や緊急度の表示等の画像Ｓ１を表示する。
【００７２】
これにより、ユーザは、第２表示部１４において詳細な報知情報を確認することになる。
【００７３】
次に、ユーザが、二つの筐体１１、１２を閉じて、第１表示部１３に表示しているアプリケーションプログラムを見ながらの徒歩中に高い緊急度の障害物が出現した場面について説明する。
【００７４】
Ｂ３状態において、制御部１７は、第１表示部１３の表示を、ナビゲーション等の閲覧系アプリケーションプログラムから入力系のアプリケーションプログラムに切換える。そして、入力系のアプリケーションプログラム上に、周囲の映像や緊急である旨の字や緊急度の表示等の画像Ｓ２を表示する。また、制御部１７は、詳細な報知情報としての鳴動Ｒ２を行う。
【００７５】
次に、Ｂ３状態において、ユーザが携帯端末１０の二つの筐体１１、１２を開いた場合について説明する。
【００７６】
Ｂ４状態において、制御部１７は、第１表示部１３に進行方向に高い緊急度の障害物がある旨の詳細な報知情報を表示し、第２表示部１４に入力系のアプリケーションプログラムの表示を続ける。
【００７７】
これにより、ユーザは、第１表示部１３の詳細な報知情報を確認し、第２表示部１４の入力系のアプリケーションプログラムを見続けることになる。
【００７８】
次に、携帯端末３０におけるモニタ画像の第２表示例について説明する。図１０は、携帯端末３０におけるモニタ画像の第２表示例の模式図である。
【００７９】
図１０に示すように、ユーザが、二つの筐体１１、１２を閉じて、第１表示部１３に表示しているアプリケーションプログラムを見ながらの徒歩中に低い緊急度の障害物が出現した場面について説明する。
【００８０】
Ｃ１状態において、制御部１７は、周囲の状況を取得する。緊急度判定部１６は、周囲状況検出部１５の検出した障害物の緊急度の判定結果が低いと判定する。制御部１７は、第１表示部１３のアプリケーションプログラム上に、簡易な報知情報としての緊急アイコンＥ１を表示する。また、制御部１７は、簡易な報知情報としての鳴動Ｒ１を行う。そして、制御部１７は、緊急である旨を半透明のレイヤーで表示する。この半透明のレイヤーは、上下いずれか方向へのフリック操作で消える。
【００８１】
次に、制御部１７が簡易な報知情報を第１表示部１３に表示している際に、ユーザが携帯端末１０の二つの筐体１１、１２を開いた場合について説明する。
【００８２】
Ｃ２状態において、制御部１７は、第１表示部１３にアプリケーションプログラムを表示したままで半透明のレイヤーを消する。また、制御部１７は、第２表示部１４に詳細な報知情報として周囲の映像や緊急である旨の字や緊急度の表示等の画像Ｓ１を表示する。
【００８３】
これにより、ユーザは、第１表示部１３のアプリケーションプログラムを見ながら、第２表示部１４の詳細な報知情報を確認することになる。
【００８４】
携帯端末３０によれば、制御部１７は、周囲の状況を二つの表示部１３、１４に適切に切り替えて表示することができる。
【００８５】
また、携帯端末３０によれば、制御部１７は、各筐体１１、１２の閉状態で、第１表示部１３に表示内容を表示している状態においてアプリケーションプログラムがユーザを案内することを目的とした場合、第１表示部１３に報知情報を表示することができる。
【００８６】
そして、携帯端末３０によれば、制御部１７は、各筐体１１、１２の閉状態で、第１表示部１３に表示内容を表示している状態においてアプリケーションプログラムがユーザを案内することを目的としない場合、第１表示部１３とは異なる第２表示部１４に報知情報を表示することができる。
【００８７】
さらに、携帯端末３０によれば、制御部１７は、各筐体１１、１２の閉状態で第１表示部１３に表示内容を表示している状態においてアプリケーションプログラムがユーザを案内することを目的としない場合、各筐体１１、１２が開かれたときに、第１表示部１３とは異なる第２表示部１４に報知情報を表示することができる。
【００８８】
加えて、携帯端末３０によれば、制御部１７は、各筐体１１、１２の閉状態で第１表示部１３に表示内容を表示している状態においてアプリケーションプログラムがユーザを案内することを目的としない場合に、第１表示部１３に緊急である旨を示す識別情報を表示することができる。
【００８９】
表示制御方法によれば、周囲の状況を二つの表示部１３、１４に適切に切り替えて表示することができる。
【００９０】
プログラムによれば、周囲の状況を二つの表示部１３、１４に適切に切り替えて表示することができる。
【００９１】
なお、携帯端末、表示制御方法及びプログラムは、前述した各実施形態に限定するものでなく、適宜な変形や改良等が可能である。
【００９２】
図１１は、携帯端末１０の最小構成の一例を示す。携帯端末１０は、筐体１１、１２、複数の表示部１３、１４、周囲状況検出部１５、緊急度判定部１６及び制御部１７を少なくとも備える。
【符号の説明】
【００９３】
１０  携帯端末
１１  第１筐体
１２  第２筐体
１３  第１表示部
１４  第２表示部
１５  周囲状況検出部
１６  緊急度判定部
１７  制御部
３０  携帯端末
３１  プログラム実行部
【図１】
2014175688.tif 000003
【図２】
2014175688.tif 000004
【図３】
2014175688.tif 000005
【図４】
2014175688.tif 000006
【図５】
2014175688.tif 000007
【図６】
2014175688.tif 000008
【図７】
2014175688.tif 000009
【図８】
2014175688.tif 000010
【図９】
2014175688.tif 000011
【図１０】
2014175688.tif 000012
【図１１】
2014175688.tif 000013